(57)【要約】【課題】幼児、園児等にとって楽しみながら歩行訓練やバランス感覚の訓練が行えるとともに、遊戯物として面白味を有するクッション遊具を提供する。【解決手段】中央マット部２と、この中央マット部２よりも高さが低く、かつ中央マット部２を囲むように外周に沿って設けられた外周マット部３とから構成されるクッション遊具１Ａであって、前記中央マット部２はエアまたは水を注入することにより膨張体とする一方で、前記外周マット部３には充填材４を封入し、前記中央マット部２と外周マット部３とで弾力性を夫々異ならせる。前記中央マット部２と、前記外周マット部３との一体化は、ホック、面ファスナー、スライドファスナー、カバー材６、底面シート８のいずれか又は組合せにより行う。【選択図】  図３
2004173807.tif 000002
【特許請求の範囲】
【請求項１】
中央マット部と、この中央マット部よりも高さが低く、かつ中央マット部を囲むように外周に沿って設けられた外周マット部とから構成されるクッション遊具であって、
前記中央マット部および外周マット部の一方側にエアまたは水を注入し膨張体とする一方で、前記中央マット部および外周マット部の他方側に充填材を封入し、前記中央マット部と外周マット部とで弾力性を夫々異ならせたことを特徴とするクッション遊具。
【請求項２】
前記中央マット部と、前記外周マット部とは、ホック、面ファスナー、スライドファスナーのいずれかにより固定される請求項１記載のクッション遊具。
【請求項３】
前記中央マット部と、外周マット部とは、少なくとも中央マット部を囲繞するカバー材により固定される請求項１または２記載のクッション遊具。
【請求項４】
前記中央マット部と、外周マット部とは、少なくとも外周マット部の下面に敷設される底面シートにより固定される請求項１〜３いずれかに記載のクッション遊具。
【請求項５】
前記充填材は、ビーズ、そば殻、エアボール、ウレタン、綿および羽毛の内のいずれか又は組合せとされる請求項１〜４いずれかに記載のクッション遊具。
【請求項６】
前記中央マット部および外周マット部の一方側にエアが注入された場合には、前記中央マット部および外周マット部の他方側に充填材として水を用いる請求項１〜４いずれかに記載のクッション遊具。
【請求項７】
前記中央マット部、外周マット部、カバー材及び底面シートは、ガラス繊維及び／又はポリエステル繊維を基布としてコーティングを施した膜材料、ナイロン繊維、ポリエステル繊維及びアクリル繊維の内のいずれか又は組合せ、帆布、ゴムシート材またはフィルム材よりなる請求項１〜６いずれかに記載のクッション遊具。
【請求項８】
前記中央マット部および外周マット部の内、前記充填材を封入した側のマット部は通気性及び／又は収縮性を有する生地よりなる請求項１〜７いずれかに記載のクッション遊具。
【発明の詳細な説明】
【０００１】
【発明の属する技術分野】
本発明は、幼児、園児の歩行訓練やバランス感覚の訓練および遊戯目的で使用されるクッション遊具に関する。
【０００２】
【従来の技術】
保育園や幼稚園等の施設では、幼児又は園児の歩行訓練や遊戯目的として、エア、水もしくはスポンジ等を内部に充填したクッション遊具が使用されている。例えば、図１２に示されるように、上面が膨出した断面半球形状のクッション遊具２０や、図１３に示されるように、断面略方形状のクッション遊具３０などが知られている。
【０００３】
【発明が解決しようとする課題】
しかしながら、前記クッション遊具２０およびクッション遊具３０のようなものでは、弾力性が均一なことから幼児や園児等が興味をもって歩行訓練やバランス感覚の訓練を行うことができず、また遊戯物としても面白味にも欠けるという問題があった。
【０００４】
そこで、本発明の主たる課題は、幼児、園児等にとって楽しみながら歩行訓練やバランス感覚の訓練が行えるとともに、遊戯物としての面白味を有するクッション遊具を提供することにある。
【０００５】
【課題を解決するための手段】
前記課題を解決するための請求項１に係る発明として、中央マット部と、この中央マット部よりも高さが低く、かつ中央マット部を囲むように外周に沿って設けられた外周マット部とから構成されるクッション遊具であって、
前記中央マット部および外周マット部の一方側にエアまたは水を注入し膨張体とする一方で、前記中央マット部および外周マット部の他方側に充填材を封入し、前記中央マット部と外周マット部とで弾力性を夫々異ならせたことを特徴とするクッション遊具が提供される。
【０００６】
上記請求項１記載の発明によれば、中央マット部と外周マット部とでクッション遊具を構成するとともに、それぞれのマット部において異なる内容物を充填することにより、中央マット部と外周マット部とで夫々弾力性を異ならせたため、その不安定さが幼児や園児等にとって歩行訓練やバランス感覚の訓練になる。また、遊戯物としての面白味をも有するものとなる。
【０００７】
請求項２に係る発明として、前記中央マット部と、前記外周マット部とは、ホック、面ファスナー、スライドファスナーのいずれかにより固定される請求項１記載のクッション遊具が提供される。
【０００８】
請求項３に係る発明として、前記中央マット部と、外周マット部とは、少なくとも中央マット部を囲繞するカバー材により固定される請求項１または２記載のクッション遊具が提供される。
【０００９】
請求項４に係る発明として、前記中央マット部と、外周マット部とは、少なくとも外周マット部の下面に敷設される底面シートにより固定される請求項１〜３いずれかに記載のクッション遊具が提供される。
【００１０】
上記請求項２〜４記載の発明によれば、中央マット部と外周マット部との固定が容易かつ確実に行えるとともに、前記中央マット部と外周マット部との分離も容易に行うことができる。
【００１１】
請求項５に係る発明として、前記充填材は、ビーズ、そば殻、エアボール、ウレタン、綿および羽毛の内のいずれか又は組合せとされる請求項１〜４いずれかに記載のクッション遊具が提供される。
【００１２】
請求項６に係る発明として、前記中央マット部および外周マット部の一方側にエアが注入された場合には、前記中央マット部および外周マット部の他方側に充填材として水を用いる請求項１〜４いずれかに記載のクッション遊具が提供される。
【００１３】
請求項７に係る発明として、前記中央マット部、外周マット部、カバー材及び底面シートは、ガラス繊維及び／又はポリエステル繊維を基布としてコーティングを施した膜材料、ナイロン繊維、ポリエステル繊維及びアクリル繊維の内のいずれか又は組合せ、帆布、ゴムシート材またはフィルム材よりなる請求項１〜６いずれかに記載のクッション遊具が提供される。
【００１４】
請求項８に係る発明として、前記中央マット部および外周マット部の内、前記充填材を封入した側のマット部は通気性及び／又は収縮性を有する生地よりなる請求項１〜７いずれかに記載のクッション遊具が提供される。
【００１５】
【発明の実施の形態】
以下、本発明の実施の形態について図面を参照しながら詳述する。
【００１６】
〔第１形態例〕
図１は本発明の第１形態例に係るクッション遊具１Ａの全体斜視図、図２はその平面図、図３は図２のＩＩＩ−ＩＩＩ線矢視図である。
【００１７】
前記クッション遊具１Ａは内部にエアまたは水が充填されるとともに、上面が弧状に膨出した中央マット部２と、この中央マット部よりも高さが低く、かつ中央マット部２を囲むように外周に沿って設けられるとともに、内部に充填材４が封入された外周マット部３とから構成される。
【００１８】
前記中央マット部２および外周マット部３は、図２に示されるように、平面視で円形状を成しており、図３に示されるように、前記中央マット部２と外周マット部３とは、両マット部２，３間の境界面に設けられた面ファスナー５Ａ、５Ｂにより一体的に固定されている。前記面ファスナー５Ａ、５Ｂは、スライドファスナー（チャック）やホックにより代用してもよい。なお、図示の例では前記中央マット部２および外周マット部３は平面視で円形状としたが、四角形、五角形等の多角形状、或いは楕円形状等の他の形状としてもよい。
【００１９】
前記中央マット部２を構成するシート材料としては、ガラス繊維及び／又はポリエステル繊維を基布としてコーティングを施した膜材料、ナイロン繊維、ポリエステル繊維及びアクリル繊維の内のいずれか又は組合せ、帆布、ゴムシート材またはフィルム材などが好適に用いられる。
【００２０】
一方、前記外周マット部３は、周方向に何分割かされていてもよい。図４に示される例では周方向に４分割された構造とし、これらは例えば面ファスナー、ホック、スライドファスナー等により接合される。その内部には例えばビーズ、そば殻、エアボール、ウレタン、綿および羽毛のいずれか又は組合せからなる充填物４が封入されている。また、前記中央マット部２にエアを充填した場合には水を用いることもできる。前記充填材４は、充填量を調節することにより、前記外周マット部３の弾力性を強めたり弱めたりすることができる。外周マット部３の内部には複数の隔壁３ａ、３ａ…を設け、内封された充填物４の移動をある程度制限するようにしてもよい。前記隔壁３ａとしては好ましくはメッシュ材等の通孔を有するシートを用いるのが良く、内空部全面を仕切るように外周マット部３の内面全周に亘って接合してもよいし、内空部の一部分を仕切るように設けてもよい。さらに、外周マット部３の素材として、特に通気性及び／又は収縮性を有するものを用いた場合には、前記充填物４の流動性が高くなるため、より一層歩行訓練やバランス感覚の訓練になるとともに、興味がそそられるものとなる。収縮性を与える場合は、ナイロン繊維、ポリエステル繊維及びアクリル繊維の内のいずれか又は組合せからなるものが好適に用いられる。
【００２１】
なお、前記外周マット部３を構成するシート材料は、前記中央マット部２と同様のものを用いることができる。また、充填物４を例示的に列挙したがこれに限定されることなく種々のものを使用することができる。
【００２２】
次に、前記中央マット部２と外周マット部３との固定方法に係り、その第２形態例〜第７形態例について詳述する。なお、中央マット部２および外周マット部３の構造は上記第１形態例の欄で説明済みであるため省略する。
【００２３】
〔第２形態例〕
本形態例に係るクッション遊具１Ｂは、中央マット部２と外周マット部３との固定にカバー材６を用いた例である。
【００２４】
具体的に前記クッション遊具１Ｂは、図５に示されるように、前記中央マット部２および外周マット部３を共に囲繞するとともに、端部が前記外周マット部３の下面側まで延在したカバー材６により、前記中央マット部２と外周マット部３とが一体的に固定される。なお、前記カバー材６の端部は前記外周マット部３の下面まで延在させることにより、外周マット部３の重量によって床面に固定され位置ズレが防止されるようになっている。
【００２５】
〔第３形態例〕
本形態例に係るクッション遊具１Ｃは、中央マット部２と外周マット部３との固定にカバー材と面ファスナーとを用いた例である。
【００２６】
具体的に前記クッション遊具１Ｃは、図６に示されるように、前記中央マット部２の上面に、端部が外周マット部３の内周部上面まで延在させたカバー材６Ａを設けるとともに、このカバー材６Ａの外周部および前記外周マット部３の内周部上面にそれぞれファスナー７Ａ、７Ｂを設け、前記カバー材６Ａの端部に設けられた面ファスナー７Ａを外周マット部３の内周部上面に設けられた面ファスナー７Ｂに接合することにより、中央マット部２と外周マット部３とを一体的に固定している。なお、前記面ファスナー７Ａ、７Ｂは、ホックやスライドファスナーで代用することもできる。
【００２７】
〔第４形態例〕
本形態例に係るクッション遊具１Ｄは、前記クッション遊具１Ｃの変形例である。
【００２８】
具体的に前記クッション遊具１Ｄは、図７に示されるように、前記中央マット部２上面の外周マット部３近傍位置に面ファスナー７Ｂが取り付けられる一方、前記外周マット部３の上面および側面を覆うとともに、内方端側が中央マット部２上面側に延在しかつ他方端側が外周マット部３の下面側まで延在するカバー材６Ｂにより囲繞され、前記カバー材６Ｂの一方端側に設けられた面ファスナー７Ａが前記面ファスナー７Ｂに固定され、前記中央マット部２と外周マット部３とが一体的に固定されている。前記面ファスナー７Ａ、７Ｂはホックやスライドファスナーで代用することもできる。
【００２９】
〔第５形態例〕
本形態例に係るクッション遊具１Ｅは、図８に示されるように、前記外周マット部３のほぼ下面全域に亘って底面シート８が敷設され、この底面シート８に外周マット部３が面ファスナー９Ａ、９Ｂにより固定され、中央マット部２が外周マット部３の中央に嵌設されている。前記底面シート８は詳細には図９にドーナツ状を成すシート材で、半径方向に沿って適宜の位置に面ファスナー９Ａ，９Ａ…が設けられる一方、外周マット部３の底面には前記面ファスナー９Ａの少なくとも対応位置に面ファスナー９Ｂが設けられ、前記底面シート８の上面に外周マット部３を固定するとともに、外周マット部３によって囲まれた中心位置に中央マット部２が挿入状態で固定される。なお、本例では前記底面シート８は外周マット部３の下面に敷設するようにしたが、外周マット部３及び中央マット部２の下面全域に亘る円形シートとすることでもよい。この場合、前記中央マット部２も同様に面ファスナーによって底面シート８に固定するようにしてもよい。また、前記ファスナー９Ａ、９Ｂはホックやスライドファスナーで代用することもできる。
【００３０】
〔第６形態例〕
本形態例に係るクッション遊具１Ｆは、中央マット部２と外周マット部３との固定にカバー材６および底面シート８の両方を用いた例である。
【００３１】
具体的に前記クッション遊具１Ｆは、図１０に示されるように、前記中央マット部２および外周マット部３の全体を囲繞するカバー材６を設けるとともに、図９に示される底面シート８を下面に敷設し、外周マット部３の側面部分においてカバー材６の端縁部に設けられた面ファスナー７Ａと、底面シート８の端縁部に設けられた面ファスナー７Ｂとを接合し、中央マット部２と外周マット部３とを一体的に固定している。なお、面ファスナー７Ａ、７Ｂによる接合は外周マット部３の下面側で行ってもよい。また、前記面ファスナー７Ａ、７Ｂに代えて、ホックやスライドファスナーを用いてもよい。
【００３２】
〔第７形態例〕
本形態例に係るクッション遊具１Ｇは、図６に示される固定態様と図８に示される固定態様との組合せに係るものである。
【００３３】
前記クッション遊具１Ｇは、図１１に示されるように、前記中央マット部２の上面に、端部が外周マット部３の内周部上面まで延在させたカバー材６Ａを設けるとともに、このカバー材６Ａの外周部および前記外周マット部３の内周部上面にそれぞれファスナー７Ａ、７Ｂを設け、前記カバー材６Ａの端部に設けられた面ファスナー７Ａを外周マット部３の内周部上面に設けられた面ファスナー７Ｂに接合することにより、中央マット部２と外周マット部３とを一体的に固定するとともに、前記外周マット部３のほぼ下面全域に亘って底面シート８が敷設され、前記底面シート８に対して外周マット部３が面ファスナー９Ａ、９Ｂにより固定されている。
【００３４】
（他の実施形態）
（１）上記形態例では、中央マット部２にエアまたは水を注入し膨張体とする一方で、外周マット部３に種々の充填材４を封入したが、逆に前記中央マット部に種々の充填材４を封入し、外周マット部３にエアまたは水を注入し膨張体とすることでもよい。
【００３５】
（２）また、中央マット部２に水を注入した場合には外周マット部３にエアを充填材として用いてもよい。
【００３６】
【発明の効果】
以上詳説のとおり本発明によれば、幼児、園児等にとって楽しみながら歩行訓練やバランス感覚の訓練が行えるとともに、遊戯物として面白味を有するクッション遊具を提供することができる。
【図面の簡単な説明】
【図１】本発明の第１形態例に係るクッション遊具１Ａの全体斜視図である。
【図２】その平面図である。
【図３】図２のＩＩＩ−ＩＩＩ線矢視図である。
【図４】外周マット部３の分割態様図である。
【図５】第２形態例に係るクッション遊具１Ｂの半縦断面図である。
【図６】第３形態例に係るクッション遊具１Ｃの半縦断面図である。
【図７】第４形態例に係るクッション遊具１Ｄの半縦断面図である。
【図８】第５形態例に係るクッション遊具１Ｅの半縦断面図である。
【図９】底面シート８の平面図である。
【図１０】第６形態例に係るクッション遊具１Ｆの半縦断面図である。
【図１１】第７形態例に係るクッション遊具１Ｇの半縦断面図である。
【図１２】従来例に係るクッション遊具２０の縦断面図である。
【図１３】従来例に係るクッション遊具３０の縦断面図である。
【符号の説明】
１Ａ〜１Ｇ…クッション遊具、２…中央マット部、３…外周マット部、４…充填材、５Ａ・５Ｂ・７Ａ・７Ｂ・９Ａ・９Ｂ…面ファスナー、６・６Ａ・６Ｂ…カバー材、８…底面シート
【図１】
2004173807.tif 000003
【図２】
2004173807.tif 000004
【図３】
2004173807.tif 000005
【図４】
2004173807.tif 000006
【図５】
2004173807.tif 000007
【図６】
2004173807.tif 000008
【図７】
2004173807.tif 000009
【図８】
2004173807.tif 000010
【図９】
2004173807.tif 000011
【図１０】
2004173807.tif 000012
【図１１】
2004173807.tif 000013
【図１２】
2004173807.tif 000014
【図１３】
2004173807.tif 000015